(57)【要約】【課題】内容物に直接手が触れることなく内容物を毛髪に付着できる密閉性と操作性に優れた容器を提供する。【解決手段】頸部２を有する本体１と、前記本体１に嵌合する蓋体１０と、前記本体１に水平回動可能に嵌着され複数の透孔２１が設けられた掻き取り栓２０と、前記掻き取り栓２０の透孔２１を挿通し前記本体１の底壁３近傍に達する櫛歯３１を有する塗布具３０と、を有して構成され、塗布具３０を回転させることにより、掻き取り栓２０も回転して塗布具３０の櫛歯３１に整髪料Ｓをムラ無く付着させ、塗布具３０を掻き取り栓２０から引き上げる操作で余分な整髪料を掻き落とし、整髪料を適量付着させた塗布具３０を用いて整髪操作ができるようにした。【選択図】      図１
2004290549.tif 000002
【特許請求の範囲】
【請求項１】
頸部を有する本体と、前記本体に嵌合する蓋体と、前記本体に水平回動可能に嵌着され複数の透孔が設けられた掻き取り栓と、前記掻き取り栓の透孔を挿通し前記本体の底壁近傍に達する櫛歯を有する塗布具と、を有して構成されていることを特徴とする塗布具付き容器。
【請求項２】
塗布具は、上面に取手が形成されており、掻き取り栓の上面に取り出し可能に収納されることを特徴とする請求項１記載の塗布具付き容器。
【請求項３】
塗布具が蓋体の下面に一体形成されていることを特徴とする請求項１記載の塗布具付き容器。
【発明の詳細な説明】
【０００１】
【産業上の利用分野】
本発明は、毛髪を好みのヘアースタイルに維持する整髪料の収納と塗布に好適な塗布具付き容器に関する。
【０００２】
【従来の技術】
毛髪を好みの形に維持したり、毛束を癖付けしたりする整髪料には、ジェル、ポマード、ワックス等、様々なタイプのものがあるが、比較的流動性の低いクリーム状あるいはワックス状のものは、旧来のポマード容器と同様にネジ蓋付きの広口瓶に収納されて販売されている。
【０００３】
これを使用するときは、旧来のポマードを使用した際と同様に、使用者は、内容物を直接手に取って毛髪に付着させたり、手指に取った内容物を櫛に付着させて使用しており、内容物によって手が汚れてしまう問題がある。
【０００４】
従来より、ポマードに直接手が触れないように使用できるポマード容器として、例えば、実公昭３５−３００３３号公報や実公昭３７−８２３３号公報、実公昭４０−２４４７０号公報に開示された押出し容器が知られている。これら従来のポマード容器は、容器に形成した櫛歯状の塗布体部に、容器内から透孔を通してポマードを押し出して付着させ、塗布体部で毛髪に付着させることにより、内容物に直接手が触れないで使用できる容器である。
【０００５】
【発明が解決しようとする課題】
しかしながら、上記従来の押出し式のポマード容器は、容器内の押し出し板を指先で押圧する操作によって櫛歯状の塗布体部に内容物を付着させる構成であるので、操作性が悪いうえに、内容物の押し出し量も手加減しだいで一定せず、塗布体部への付着量の調節も難しい。また、保存時の内容物が押し出し用の透孔から漏れ出る虞のある密閉性の悪い構成であり、現在の高粘度の整髪料の容器として採用するには機能的に欠点が多い。
【０００６】
本発明は、上記の問題に鑑みてなされたもので、内容物に直接手が触れないで毛髪に付着できる密閉性と操作性に優れた容器とすることにある。
【０００７】
【課題を解決するための手段】
本発明の請求項１に係る塗布具付き容器は、頸部を有する本体と、前記本体に嵌合する蓋体と、前記本体に水平回動可能に嵌着され複数の透孔が設けられた掻き取り栓と、前記掻き取り栓の透孔を挿通し前記本体の底壁近傍に達する櫛歯を有する塗布具と、を有して構成されていることを特徴としており、塗布具を回転させることにより、掻き取り栓も回転して塗布具の櫛歯に整髪料がムラ無く付着し、塗布具を掻き取り栓から引き上げることにより、櫛歯に付着した余分な整髪料を掻き取り栓で掻き落とし、整髪料を適量付着させた塗布具を用いて整髪操作ができるようにした。
【０００８】
また、本発明の請求項２に係る塗布具付き容器は、塗布具は、上面に取手が形成されており、掻き取り栓の上面に取り出し可能に収納されることを特徴としており、取手を使って、塗布具の回転操作、塗布具の本体からの抜き取りと本体への戻し操作、整髪操作ができるようにした。
【０００９】
また、本発明の請求項３に係る塗布具付き容器は、塗布具が蓋体の下面に突出形成されていることを特徴としており、蓋体を回転させることにより塗布具と掻き取り栓が回転し、蓋体が上昇することにより塗布具に付着した余分な整髪料を掻き取り栓で掻き落とし、蓋体を持って整髪操作をするようにした。
【００１０】
【発明の実施の形態】
以下、本発明の好適な実施の形態を、添付した図面を参照しながら詳細に説明する。
【００１１】
図１乃至図８は、本発明の塗布具付き容器の第一の実施の形態を示しており、広口の頸部２を有する本体１と、前記本体１に嵌合する蓋体１０と、前記本体１に水平回動可能に嵌着され複数の透孔２１が設けられた掻き取り栓２０と、前記掻き取り栓２０の透孔２１を挿通し前記本体１の底壁３近傍に達する櫛歯３１を有する塗布具３０と、を有して構成されている。
【００１２】
本体１は、広口の頚部２を有する瓶であり、頚部２の外周には雄ネジ４が刻設されている。
【００１３】
蓋体１０は、内周壁に本体１の雄ネジ４と螺合する雌ネジ１１が刻設され、頂壁１２の下面にはパッキン１３が貼着されている。
【００１４】
掻き取り栓２０は、円形の掻き取り板部２２の外縁に上端にフランジ部２３を形成した周壁部２４を立設して成る皿状の凹所２５を有する栓体であり、本体１の頚部２に水平回動可能に嵌挿されている。そして、この栓体２０の掻き取り板部２２には、櫛歯３１が挿通する透孔２１が穿孔されており、前記透孔２１の数と位置は、凹所２５に収納される塗布具３０における各櫛歯３１の数と櫛歯３１の配設位置に対応している。
【００１５】
掻き取り板部２２の透孔２１は、本体１内に充填されている高粘度の整髪料Ｓを塗布具３０の櫛歯３１に適量付着させて取り出す為のものであり、各透孔２１の径は、櫛歯３１に付着させて取り出す整髪料の適量を見込んで櫛歯３１の外径よりも大きな寸法に設定されている。従って、櫛歯３１が透孔２１から引き抜かれると、余分に付着した整髪料は掻き取り板部２２で掻き落とされ、塗布具３０の櫛歯３１の部分に適量の整髪料が付着する。
【００１６】
塗布具３０は、上面に取手３２が形成され、下面には、掻き取り栓２０の透孔２１を挿通して本体１の底壁３近傍に迄達する長さの櫛歯３１が複数突設されている。
【００１７】
図２に示す塗布具３０の櫛歯３１は、縦横均等間隔に設けられている。従って、この櫛歯３１が挿通する掻き取り栓２０の透孔２１も、各櫛歯３１の数とその配設位置に対応して穿孔されており、塗布具３０を掻き取り栓２５の凹所２５に収納する際に行う櫛歯３１と透孔２１との位置合わせが極めて容易に行える配列となっている。
【００１８】
また、図３に示すように、円形の塗布具３０の櫛歯３１は、同心円に配列してもよく、この配列でも櫛歯３１と透孔２１との位置合わせが極めて容易である。
【００１９】
また、図４は、円形の塗布具３０における各櫛歯３１に、整髪料が確実に付着する櫛歯３１の配設例を示している。図指するように、櫛歯３１は、塗布具３０裏面の周縁に沿って、また、縦横十文字に直交する四分割線上に、均等間隔に突設され、且つ四分割された区域内には、櫛歯３１が互いに径方向と周方向へ僅かにずらした間隔で突設してある。
【００２０】
上記の櫛歯３１の配設位置に対応して掻き取り栓２０の透孔２１を設け、前記透孔２１に対応させて櫛歯３１を挿通した状態で、塗布具３０を本体１内において水平回転させると、塗布具３０とともに掻き取り栓２０も回転し、櫛歯３１の回転方向にまんべんなく整髪料Ｓを付着させることができる。
【００２１】
また、塗布具３０は、円形に限るものではなく、図５乃至図６に示すように、矩形等に形成してもよい。櫛歯３１を透孔２１に挿通する際の位置合わせに方向性あって、位置合わせが難しい設定の場合は、塗布具３０と掻き取り栓２０とにマークやガイドによる位置合わせの為の手段を設け、位置合わせ手段によって操作するようにすると好い（図指省略）。
【００２２】
次に、上述した実施の形態の使用について説明する。塗布具３０の取手３２を摘み、整髪料Ｓに刺さっている櫛歯３０を掻き取り栓２０から引き抜くと、櫛歯３１に付着した余分な整髪料は掻き取り栓２０で掻き落とされる。従って、塗布具３０を引き上げるだけの操作で適量の整髪料が付着し、そのまま塗布具３０を用いて毛髪への付着操作ができる。
【００２３】
整髪料を付着し終えた塗布具３０は、櫛歯３１を掻き取り栓２０の透孔２１に挿通して本体１内に戻しておく。そして、次に使用するときは、塗布具３０の取手３２を使って掻き取り栓２０と共に水平回転させ、櫛歯３１で整髪料Ｓを掻き回すことにより各櫛歯３１にまんべんなく整髪料Ｓを付着させてから塗布具３０を抜き取って使用する。
【００２４】
尚、図７に示すように、掻き取り栓２０におけるフランジ部２３の下面に係合溝３３を設けて、この掻き取り栓２０を本体１の頚部２の上端に周設した係合突起５とアンダーカット係合させて嵌挿し、整髪料Ｓを掻き回すときは、掻き取り栓２０のフランジ部２３を把持して回転操作をするようにしてもよい。この掻き取り栓２０による回転操作は、整髪料を掻き回す際に力のいる極めて高粘度の整髪料を使用する場合に有効である。
【００２５】
また、蓋体１０も、図１示したネジ蓋に限るものではなく、図８に示すように、ヒンジ蓋１４付きの蓋体１０ａを使用してもよい。この蓋体４０ａは、ヒンジ蓋１４の先端部１７に指をかけてヒンジ１６を使って開閉することができるので、蓋体１０ａを取り外すことなく塗布具３０の操作ができ、便利である。
【００２６】
図９乃至図１０は、本発明に係る塗布具付き容器の別の実施の形態を示すものである。基本的には先の実施の形態と同様であるので、図において、既述した実施の形態と共通する部分については同一符号を付しその説明を省略する。
【００２７】
同図に示すように、この実施の形態の塗布具付き容器は、塗布具３０ａを蓋体１０ａの下面に一体に形成したことを特徴としている。
【００２８】
図９に示す塗布具付き容器は、上面が凹没した塗布具３０ａ付きの蓋体１０ａと、前記蓋塗布具３０ａ付き体１０ａが内側からネジ嵌合する本体１と、前記本体１の段部６に回動可能にアンダーカット装着された円盤状の掻き取り栓２０ａとの３部品から成り、部品数が少なく安価に提供できる構成となっている。
【００２９】
この塗布具付き容器は、蓋体１０ａを開閉する際に、蓋体１０ａの回転による櫛歯３１の回転で整髪料Ｓを掻き回し、櫛歯３１に整髪料Ｓを確実に付着させることができる。そして、ネジ蓋体１０ａを取り外す操作をするだけで、櫛歯３１に付着した整髪料Ｓは掻き取り栓２０ａによって適量に掻き取られる。
【００３０】
図１０に示す塗布具付き容器は、携帯に便利なように細身にしたものであり、塗布具３０ａ付きの蓋体１０ａの凹没した上面を化粧蓋板１５で塞いて外観を高め、蓋体１０ａと本体１との嵌合部は、相互回転可能なアンダーカット係合手段７で係合させてある。
【００３１】
従って、使用するときは、蓋体１０ａと本体１を相互回転させて櫛歯３１に整髪料を確実に付着させ、蓋体１０ａをまっすぐ引き抜くことにより、掻き取り栓２０ａで櫛歯３１の整髪料の付着量が調整される。
【００３２】
【発明の効果】
本発明は、以上説明したような形態で実施され、以下に記載されるような効果を奏する。
【００３３】
本発明によれば、本体に収納された塗布具を回転させることで高粘度の整髪料を塗布具の櫛歯に確実に付着させることができると共に、塗布具を本体から取り出すだけで整髪料の付着量が調整されるようにしたので、手を汚すことなく簡単な操作で適正量の整髪料を塗布具に付着させて整髪することができる。
【００３４】
また、塗布具が本体に収納されているときは、塗布具の櫛歯が掻き取り栓の透孔を挿通した状態で塗布具が透孔を塞ぐので、整髪料の密閉性を高く維持することができる。
【図面の簡単な説明】
【図１】本発明の塗布具付き容器の第一の実施の形態を示す断面図。
【図２】図１の塗布具付き容器における塗布具を示す底面図。
【図３】図１の塗布具付き容器で使用される別の塗布具を示す底面図。
【図４】図１の塗布具付き容器で使用される別の塗布具を示す底面図。
【図５】図１の塗布具付き容器で使用される別の塗布具を示す側面図。
【図６】図５に示す塗布具の底面図。
【図７】本発明の塗布具付き容器で使用される別の掻き取り栓の装着状態を示す断面図。
【図８】本発明の塗布具付き容器で使用される別の蓋体の装着状態を示す断面図。
【図９】本発明の塗布具付き容器の別の実施の形態を示す断面図。
【図１０】本発明の塗布具付き容器の別の実施の形態を示す断面図。
【符号の説明】
１  本体，２  頚部，３  底壁，１０、１０ａ  蓋体，２０、２０ａ  掻き取り栓，２１  透孔，２５  凹所，３０、３０ａ  塗布具，３１  櫛歯，３２  取手，
【図１】
2004290549.tif 000003
【図２】
2004290549.tif 000004
【図３】
2004290549.tif 000005
【図４】
2004290549.tif 000006
【図５】
2004290549.tif 000007
【図６】
2004290549.tif 000008
【図７】
2004290549.tif 000009
【図８】
2004290549.tif 000010
【図９】
2004290549.tif 000011
【図１０】
2004290549.tif 000012